(57)【要約】【課題】スプリンクラーヘッドにおけるカバープレートやシーリングプレート等の取付け作業時の作業者の負担を軽減できるスプリンクラーヘッド付属品着脱工具を提供する。【解決手段】  天井または壁面におけるスプリンクラーヘッドＳの設置位置に穿設された穴を塞ぐスプリンクラーヘッド付属品をスプリンクラーヘッドへ取付け・取外しするための着脱工具であり、スプリンクラーヘッド付属品４を支持する本体２、本体２上にスプリンクラーヘッド付属品４を保持する保持体３を備えた。【選択図】図１
2011120699.tif 000002
【特許請求の範囲】
【請求項１】
天井または壁面におけるスプリンクラーヘッドの設置位置に設けた穴を塞ぐスプリンクラーヘッド付属品をスプリンクラーヘッドに対して取付けまたは取外す着脱工具であって、
スプリンクラーヘッド付属品を支持可能な支持面を有する本体と、
本体の上面と離間して対向配置されており、スプリンクラーヘッド付属品を差し込ませることで該スプリンクラーヘッド付属品と係止し本体上に保持する保持体と、
保持体にて保持されるスプリンクラーヘッド付属品に対して前記差し込み方向で係止して本体の所定位置にスプリンクラーヘッド付属品を位置決めする係止部と、を備えるスプリンクラーヘッド付属品用の着脱工具。
【請求項２】
本体に、外周を部分的に欠如して形成した保持位置視認部を設け、本体の所定位置に位置決めして保持したときは本体の下面側にスプリンクラーヘッド付属品が露出せず、本体の所定位置から外れて保持したときには本体の下面側にスプリンクラーヘッド付属品が露出するようにした請求項１記載の着脱工具。
【請求項３】
本体に、スプリンクラーヘッド付属品を磁力によって吸着保持する磁石を備える請求項１または請求項２記載の着脱工具。
【請求項４】
磁石をスプリンクラーヘッド付属品に対して接離させる操作部を備える請求項３記載の着脱工具。
【請求項５】
本体または保持体に、室内側に露出するスプリンクラーヘッド付属品の化粧面を本体の支持面と接触しない浮かせた状態で、スプリンクラーヘッド付属品を保持体にて保持させる段部を設ける請求項１〜請求項４何れか１項記載の着脱工具。
【請求項６】
本体の支持面にスプリンクラーヘッド付属品の損傷防止用の緩衝保護材を取付ける請求項１〜請求項５何れか１項記載の着脱工具。
【請求項７】
緩衝保護材がスプリンクラーヘッド付属品を吸着保持する磁力を有する請求項６記載の着脱工具。
【請求項８】
本体が樹脂成形体にて形成したものである請求項１〜請求項７何れか１項記載の着脱工具。
【請求項９】
本体に棒状の作業用把持部を備える請求項１〜請求項８何れか１項記載の着脱工具。
【請求項１０】
一端側に本体を備える棒状の作業用把持部の他端側にスプリンクラーヘッドに取付けた保護キャップを除去する除去工具を備える請求項１〜請求項９何れか１項記載の着脱工具。
【請求項１１】
保持体が本体の所定位置で保持した前記スプリンクラーヘッド付属品に対して可動となっており、
スプリンクラーヘッド付属品と係止する保持体を側方移動させて係止状態を解除する保持体操作部を備える請求項１〜請求項１０何れか１項記載の着脱工具。
【請求項１２】
係止部は、スプリンクラーヘッド付属品をスプリンクラーヘッドに対してねじ込ませて取付けまたは取外す際に、本体および保持体と共周り可能としてスプリンクラーヘッド付属品に対してねじ込み方向でも係止する請求項１〜請求項１１何れか１項記載の着脱工具。
【請求項１３】
保持体が、スプリンクラーヘッド付属品をスプリンクラーヘッドに対してねじ込ませて取付けまたは取外す際に、スプリンクラーヘッド付属品に対してねじ込み方向で係止する回転係止部を有する請求項１〜請求項１２何れか１項記載の着脱工具。
【請求項１４】
スプリンクラーヘッド付属品には係止突起が設けられており、
係止部は当該係止突起と前記差し込み方向で係止する請求項１〜請求項１３何れか１項記載の着脱工具。
【請求項１５】
スプリンクラーヘッド付属品には係止突起が設けられており、
係止部は、スプリンクラーヘッド付属品をスプリンクラーヘッドに対してねじ込ませて取付けまたは取外す際に、本体および保持体と共周り可能として前記係止突起に対してねじ込み方向で係止する請求項１〜請求項１４何れか１項記載の着脱工具。
【請求項１６】
係止部は、該係止突起の当接箇所と相対形状の係止縁を有し、該係止縁は少なくとも前記差し込み方向または前記ねじ込み方向で該係止突起に対して遊び無く係止する請求項１３または請求項１５記載の着脱工具。
【請求項１７】
スプリンクラーヘッド付属品に複数の係止突起が設けられており、
保持体には、スプリンクラーヘッド付属品をスプリンクラーヘッドに対してねじ込ませて取付けまたは取外す際に、該係止突起に対してねじ込み方向で係止する回転係止部を設ける請求項１〜請求項１６何れか１項記載の着脱工具。
【請求項１８】
スプリンクラーヘッド付属品がスプリンクラーヘッドカバーまたはシーリングプレートの何れかである請求項１〜請求項１７記載の着脱工具。
【請求項１９】
スプリンクラーヘッド付属品がスプリンクラーヘッドカバーであり、スプリンクラーヘッドカバーは、スプリンクラーヘッドに装着する筒状部と、前記穴を塞ぐカバープレートと、筒状部とカバープレートとを低融点合金にて接合する連結脚とを備えており、
係止部は当該連結脚に対して係止するものである請求項１〜請求項１７何れか１項記載の着脱工具。
【発明の詳細な説明】
【技術分野】
【０００１】
本発明はスプリンクラーヘッドの付属品、例えばスプリンクラーヘッドカバーやシーリングプレートをスプリンクラーヘッドに取付け・取外しするための着脱工具に関する。
【背景技術】
【０００２】
スプリンクラーヘッドは、建物内の天井面や壁面に設置され、一端には給水源に続いた配管と接続可能なノズルを有し、他端には感熱作動部が設けられている。平時において感熱作動部はノズルを閉止する弁体を支持している。
【０００３】
上記スプリンクラーヘッドの一例として、天井面や壁面に埋め込まれた状態で設置され、スプリンクラーヘッドをスプリンクラーヘッドカバーで覆い隠したコンシールド型スプリンクラーヘッドがある。
【０００４】
コンシールド型スプリンクラーヘッドは、スプリンクラーヘッドと、該スプリンクラーヘッドに装着するスプリンクラーヘッドカバーとを備える。そのスプリンクラーヘッドは天井裏に設置されており、平時において該スプリンクラーヘッドはスプリンクラーヘッドカバーによって覆い隠され、室内からはカバープレートしか見えない構造になっている。
【０００５】
コンシールド型スプリンクラーヘッドは、スプリンクラーヘッドが天井から室内側に突出しない点で意匠性に優れており、例えば特許文献１に記載されたものが知られている。図１８に示す特許文献１のコンシールド型スプリンクラーヘッド５０は、外周部に牡ネジ５３が形成されているスプリンクラーヘッドＳと、該牡ネジ５３と螺合可能な突起５４が筒状部５５Ａの内側に形成されているハウジング５５を有するスプリンクラーヘッドカバー５１とを備える。ハウジング５５の下方には皿状のカバープレート５２が設置されており、ハウジング５５とカバープレート５２とはハウジング５５の下端に設けられた接続部材５６を介して接合されている。
【０００６】
接続部材５６とカバープレート５２は低融点合金５７により接合されており、火災時には火災の熱によって低融点合金５７が溶融してカバープレート５２と接続部材５６との接合が解除され、カバープレート５２が落下する。カバープレート５２が落下すると天井裏に設置されたスプリンクラーヘッドＳが天井ボード５８の穴５９を介して室内に露出する。これにより火災の熱気流が直接スプリンクラーヘッドＳに曝され、スプリンクラーヘッドＳが作動して水を散布して消火を行う。
【０００７】
上記のスプリンクラーヘッドカバー５１は次のような手順でスプリンクラーヘッドＳに取付けられる。
【０００８】
天井裏の配管ＡにはスプリンクラーヘッドＳが接続されている。スプリンクラーヘッドＳには外的衝撃から保護するために図示しない保護キャップが装着されている。次に天井ボード５８が施工される。スプリンクラーヘッドＳが設置される箇所にはスプリンクラーヘッドＳよりやや大径の穴５９が穿設されており、スプリンクラーヘッドＳはその穴５９を介して室内に露出した状態となる。
【０００９】
続いて、スプリンクラーヘッドＳにスプリンクラーヘッドカバー５１を取付けるが、その前に保護キャップを取外す。保護キャップを取外した後、スプリンクラーヘッドカバー５１のハウジング５５の筒状部５５ＡをスプリンクラーヘッドＳの下端側から天井ボード５８の方向に向かって挿入して回転させ、スプリンクラーヘッドＳの外周の牡ネジ５３へハウジング５５内の突起５４をねじ込ませる。
【００１０】
ハウジング５５のフランジ部６０が天井ボード５８の下面に接触するまでスプリンクラーヘッドカバー５１をねじ込めば取付けが完了する。
【先行技術文献】
【特許文献】
【００１１】
【特許文献１】国際公開第２００５／９７２６５号
【発明の概要】
【発明が解決しようとする課題】
【００１２】
以上のようなスプリンクラーヘッドカバー５１の取付け作業（保護カバーの取外し作業を含む。）は、一般的には作業者が脚立に登り天井に向かって作業を行うのが通常である。しかしながらこうした高所での上向きの作業は落下の危険性もあるため細心の注意が必要であり作業者の疲労が大きい。特に腕を上げた状態でスプリンクラーヘッドカバー５１をスプリンクラーヘッドＳの中心に芯を合わせてねじ込ませる手元の精度も要求されることから、作業者に大きな疲労を与える大きな原因となっている。
【００１３】
しかも大規模な建物になるとスプリンクラーヘッドの設置個数が数百個から数千個に及ぶケースもあり、前述の疲労の大きい取付け作業（及び取外し作業）を数百個から数千個も行わなければならず作業者の負担が甚大であった。
【００１４】
さらにスプリンクラーヘッドカバー５１の取付け作業時に、軍手に付着していた埃や煤がスプリンクラーヘッドカバー５１のカバープレート５２に付着すると、その汚れによって室内の美観を損ねてしまうおそれがある。ゆえにスプリンクラーヘッドカバー５１の取付け作業においてもカバープレート５２に汚れが付着しないように細心の注意を払って作業を行わなければならない。
【００１５】
以上のような従来技術を背景になされたのが本発明である。その目的はスプリンクラーヘッドカバーやシーリングプレート等の付属品をスプリンクラーヘッドに対して着脱する際の作業者の負担を軽減するための工具を提供することにある。
【課題を解決するための手段】
【００１６】
上記目的を達成すべく本発明が提案する工具は、以下のようなスプリンクラーヘッド付属品着脱工具である。
【００１７】
すなわち、天井または壁面におけるスプリンクラーヘッドの設置位置に設けた穴を塞ぐスプリンクラーヘッド付属品をスプリンクラーヘッドに対して取付けまたは取外す着脱工具であって、スプリンクラーヘッド付属品を支持可能な支持面を有する本体と、本体の上面と離間して対向配置されており、スプリンクラーヘッド付属品を差し込ませることで該スプリンクラーヘッド付属品と係止し本体上に保持する保持体と、保持体にて保持されるスプリンクラーヘッド付属品に対して前記差し込み方向で係止して本体の所定位置にスプリンクラーヘッド付属品を位置決めする係止部と、を備えるスプリンクラーヘッド付属品用の着脱工具である。
【００１８】
本発明によるスプリンクラーヘッド付属品用の着脱工具（以下「着脱工具」というときは特に断らない限り「スプリンクラーヘッド付属品用の着脱工具」を意味する。）によれば、作業者はスプリンクラーヘッド付属品（以下「付属品」というときは特に断らない限り「スプリンクラーヘッド付属品」を意味する。）を本体にセットした本発明の着脱工具を使って付属品をスプリンクラーに取付けたり取外したりすることができる。したがって作業者の負担を軽減することができる。
その際、この着脱工具にはスプリンクラーヘッド付属品を支持可能な支持面を有する本体と、本体の上面と離間して対向配置されており、スプリンクラーヘッド付属品を差し込ませることで該スプリンクラーヘッド付属品と係止し本体上に保持する保持体とを備えるため、付属品を本体にセットした状態で着脱工具を天井に向かって移動させた際に、本体から付属品が外れてしまうことを防止できる。
また、スプリンクラーヘッドカバーをスプリンクラーヘッドに取付けている途中で作業を中断しなければならなくなった場合に、作業者が着脱工具から手を離しても付属品が着脱工具に係留された状態となり、中断後に再び作業を開始する際に工具を再セットする手間が不用である。
さらに着脱工具には保持体にて保持される付属品に対して前記差し込み方向で係止して本体の所定位置に付属品を位置決めする係止部を備える。この係止部によって付属品が本体の所定位置に位置決めされた状態で保持されるため、付属品をスプリンクラーヘッドに対して取付ける際に、付属品が本体に隠れて室内側から見えなくても本体の位置を頼りにしながらスプリンクラーヘッドに対する位置合わせを行うことができる。
そして着脱工具を使えば付属品に触れることなくスプリンクラーヘッドに取付けることができるので、取付け作業時に軍手に付着した汚れが付属品に付くことを防止できる。
【００１９】
以上のような本発明の着脱工具の有用性は、特にスプリンクラーヘッドカバーやシーリングプレート等のスプリンクラーヘッド付属品をスプリンクラーヘッドに取付けたり取外したりする際に発揮することができる。
【００２０】
なお、前記本発明の着脱工具はスプリンクラーヘッドに対する付属品を取付けるための工具として、または取外すための工具として、さらには取付けと取外しの双方に対応する工具の何れの形態であっても実施することができる。
また、前述した着脱工具の本体の支持面は付属品を直接載置して支持するものに限られず、直接載置しないものでも良い。たとえば後者の場合には保持体によって付属品を保持するものとし、支持面は保持体から外れた際に落下しないように本体で受けるものとして構成してもよい。
【００２１】
前記着脱工具は、本体に、外周を部分的に欠如して形成した保持位置視認部を設け、本体の所定位置に位置決めして保持したときは本体の下面側にスプリンクラーヘッド付属品が露出せず、本体の所定位置から外れて保持したときには本体の下面側にスプリンクラーヘッド付属品が露出するものとして構成できる。
これによれば、本体の保持位置視認部によって本体の所定位置に付属品が保持されているか否かを知りたい時に、一々本体を手元に持ってこなくても本体の下面側から容易に確認することができ、よって作業性も向上することができる。
【００２２】
前記着脱工具は、本体に、スプリンクラーヘッド付属品を磁力によって吸着保持する磁石を備えるものとして構成できる。
磁石によって付属品の保持力が高まるため、着脱工具に付属品をセットした状態で作業者が歩いて移動したときでも着脱工具から付属品が外れて脱落することを防止できる。
【００２３】
前記着脱工具は、磁石をスプリンクラーヘッド付属品に対して接離させる操作部を備えるものとして構成できる。
磁石を付属品に対して接近又は接触させることで磁力を付属品に作用させて吸着保持することができ、磁石を付属品から離すことで磁力を保持力として付属品に作用させることを解除することができる。本発明では操作部によってこうした磁石の移動操作を容易に行うことができる。
【００２４】
前記着脱工具は、本体または保持体に、室内側に露出するスプリンクラーヘッド付属品の化粧面を本体の支持面と接触しない浮かせた状態で、スプリンクラーヘッド付属品を保持体にて保持させる段部を設けることができる。
この段部によって室内側に露出する付属品の化粧面を本体の支持面と接触させずに保持体にて保持させることができるので、支持面との接触による化粧面の損傷を防止することができる。
【００２５】
前記着脱工具は、本体の支持面にスプリンクラーヘッド付属品の損傷防止用の緩衝保護材を取付けることができる。
この緩衝保護材があれば付属品の損傷を防ぐことができる。
【００２６】
前記着脱工具は、緩衝保護材がスプリンクラーヘッド付属品を吸着保持する磁力を有するものとして構成することができる。
この緩衝保護材によって別途の磁石を用意することなく付属品の吸着保持と損傷防止とを同時に実現できる。
【００２７】
前記着脱工具は、本体を樹脂成形体にて形成できる。
これによれば付属品が金属製である場合に、着脱工具への取付けおよび取外しの際に損傷してしまうのを防止できる。
【００２８】
前記着脱工具は、本体に棒状の作業用把持部を備える。
これによってスプリンクラーが高所にあっても作業者が脚立に上らずに作業を行うことが可能となり作業者の負担が軽減される。
【００２９】
前記着脱工具は、一端側に本体を備える棒状の作業用把持部の他端側にスプリンクラーヘッドに取付けた保護キャップを除去する除去工具を備えるものとして構成できる。
この一体化によって作業者はそれぞれの作業で共通の工具（本発明の着脱工具）を使用することができ、工具の持ち替え等の手間や負担を省くことができ、作業性を向上することができる。
【００３０】
前記着脱工具は、保持体が本体の所定位置で保持した前記スプリンクラーヘッド付属品に対して可動となっており、スプリンクラーヘッド付属品と係止する保持体を側方移動させて係止状態を解除する保持体操作部を備えるものとして構成できる。
これによれば保持体操作部により保持体に与える操作（側方移動）によって付属品に対する係止状態を解除することができるので、例えば付属品を着脱工具から取外す際に、付属品が保持体に引っ掛かることなく容易に外すことができる。
【００３１】
前記着脱工具は、係止部が、スプリンクラーヘッド付属品をスプリンクラーヘッドに対してねじ込ませて取付けまたは取外す際に、本体および保持体と共周り可能としてスプリンクラーヘッド付属品に対してねじ込み方向でも係止するものとして構成できる。
この係止部によれば着脱工具に保持した状態で付属品が本体および保持体のねじ込みと連動するので、スプリンクラーへの取付けまたは取外しを円滑・容易に行うことができる。なお、以上及び以下の説明において付属品をスプリンクラーヘッドに対して「ねじ込ませる」とは、付属品をスプリンクラーヘッドに対して回転させることを意味しており、回転の目的、つまり取付けのための回転であるか取外しのための回転であるかを問わないものである。したがって本発明でいう前記「係止部」には、取付けの際に係止する係止部、取外しの際に係止する係止部、取付け及び取外しの際に係止する係止部の何れもが含まれる。
【００３２】
前記着脱工具は、保持体が、スプリンクラーヘッド付属品をスプリンクラーヘッドに対してねじ込ませて取付けまたは取外す際に、スプリンクラーヘッド付属品に対してねじ込み方向で係止する回転係止部を有するものとして構成できる。
本発明ではこの回転係止部もねじ込み方向で付属品に対して係止する。したがって付属品を回転させてスプリンクラーヘッドにねじ込む際に生じる回転力を分散させることができ、過剰な回転力の集中作用による付属品の損傷を防止することができる。
【００３３】
前記着脱工具は、スプリンクラーヘッド付属品に係止突起が設けられており、係止部は当該係止突起と前記差し込み方向で係止するものとして構成できる。
これによれば係止突起と係止部との係止により簡易な構造で確実に付属品を保持体で保持することができる。
【００３４】
前記着脱工具は、スプリンクラーヘッド付属品には係止突起が設けられており、係止部は、スプリンクラーヘッド付属品をスプリンクラーヘッドに対してねじ込ませて取付けまたは取外す際に、本体および保持体と共周り可能として前記係止突起に対してねじ込み方向で係止するものとして構成できる。
これによれば係止突起と係止部とのねじ込み方向での係止により簡易な構造で確実に付属品をスプリンクラーヘッドに対してねじ込ませることができる。
【００３５】
前記着脱工具は、係止部が、該係止突起の当接箇所と相対形状の係止縁を有し、該係止縁は少なくとも前記差し込み方向または前記ねじ込み方向で該係止突起に対して遊び無く係止するものとして構成できる。
これによれば係止部の係止縁と係止突起との遊び無い係止により、スプリンクラーヘッドに対する付属品のねじ込み方向への回転力を無駄なく伝達させて、付属品の取付け・取外しを迅速に行うことができる。
なお、以上および以下の説明において「遊び無く係止」とは厳密に全く遊びが無いことを意味するのではなく、特に係止突起を係止部に対して余裕をもって係入できるようにするために必要なクリアランスをも除く意味ではない。つまり本体を回転させればそれに呼応して直ぐに付属品を連動し回転させることができる限りにおいて、遊びがあっても良い。
【００３６】
前記着脱工具は、スプリンクラーヘッド付属品に複数の係止突起が設けられており、保持体には、スプリンクラーヘッド付属品をスプリンクラーヘッドに対してねじ込ませて取付けまたは取外す際に、該係止突起に対してねじ込み方向で係止する回転係止部を設けるものとして構成できる。
本発明では、付属品の複数の係止突起に対して保持体の回転係止部がねじ込み方向で係止する。したがって付属品をスプリンクラーヘッドにねじ込む際の回転力を複数の係止箇所に分散させることができ、過剰な回転力の集中作用による付属品の損傷を防止することができる。
【００３７】
前記着脱工具は、スプリンクラーヘッド付属品がスプリンクラーヘッドカバーまたはシーリングプレートの何れかであるとして、その取付け・取外しのために実施することができる。
特にスプリンクラーヘッド付属品がスプリンクラーヘッドカバーである場合、スプリンクラーヘッドカバーは、スプリンクラーヘッドに装着する筒状部と、前記穴を塞ぐカバープレートと、筒状部とカバープレートとを低融点合金にて接合する連結脚とを備えており、本発明の着脱工具の係止部は当該連結脚に対して係止するものであるとして構成できる。
【発明の効果】
【００３８】
本発明のスプリンクラーヘッド付属品用の着脱工具によれば、スプリンクラーヘッド付属品をスプリンクラーヘッドに取付けたり取外したりする際の作業者の負担を大きく軽減することができる。また取付けや取外しの作業時に、スプリンクラーヘッド付属品に汚れや傷が付くことを防止することができる。
【図面の簡単な説明】
【００３９】
【図１】第１実施形態によるスプリンクラーヘッド付属品用の着脱工具にスプリンクラーヘッドカバーを取付けた状態を示す説明図。
【図２】図１の着脱工具にスプリンクラーヘッドカバーを取付けまたは取外す過程を示す説明図。
【図３】図１の着脱工具の平面図。
【図４】図１の着脱工具にスプリンクラーヘッドカバーを取付けた状態を示す平面図。
【図５】保護カバー除去工具の斜視図。
【図６】第１実施形態の第１変形例による着脱工具にスプリンクラーヘッドカバーを取付けた状態を示す断面図。
【図７】第１実施形態の第２変形例による着脱工具でシーリングプレートを取付ける状態を示す説明図。
【図８】図７（ａ）で示す着脱工具にシーリングプレートを取付けた状態を示す平面図。
【図９】第２実施形態による着脱工具にスプリンクラーヘッドカバーを取付けた状態を示す断面図。
【図１０】図９の着脱工具の平面図。
【図１１】図９の着脱工具でマグネットによる保持を解除した状態を示す断面図。
【図１２】図９の第１変形例による着脱工具を示す平面図。
【図１３】図９の第２変形例による着脱工具にスプリンクラーヘッドカバーを取付けた状態を示す断面図。
【図１４】第３実施形態による着脱工具にスプリンクラーヘッドカバーを取付けた状態を示す断面図。
【図１５】図１４の着脱工具の平面図。
【図１６】図１４の着脱工具で係止部による係止を解除した状態を示す断面図。
【図１７】第４実施形態による着脱工具スプリンクラーヘッドカバーを取付けた状態を示す説明図。
【図１８】一従来例によるスプリンクラーヘッドカバーが設置されたスプリンクラーヘッドの断面図。
【発明を実施するための形態】
【００４０】
第１実施形態（図１〜図８）
以下、この発明の第１実施形態を図１から図７を参照して説明する。
【００４１】
第１実施形態のスプリンクラーヘッド付属品用の着脱工具（以下、「着脱工具」という。）１は、本体２と保持体３を備えており、これらは何れも樹脂成形体にて形成されている。本体２には「スプリンクラーヘッド付属品」としてのスプリンクラーヘッドカバー４を支持する皿状部５が形成されている。皿状部５にはスプリンクラーヘッドカバー４が載置される。
【００４２】
皿状部５の一部は切欠かれており皿状部の側面に「保持位置視認部」としての直線部５Ａが形成されている。皿状部５のスプリンクラーヘッドカバー４が載置される側には「保持体」としてのカバー８が設置される。図３に示すようにカバー８はリングを切り欠いた板状の環状部材にて形成されており、皿状部５のスプリンクラーヘッドカバー４が載置される「支持面」としての面５Ｂに対してネジ９により固定設置される。皿状部５の面５ＢにはマグネットＭが穴５Ｄ内に埋設されている（図３（ｂ）参照）。該マグネットＭの磁力により金属製のカバープレート４Ａが吸着保持され、作業者が着脱工具１にスプリンクラーヘッドカバー４をセットした状態で着脱工具１を持ち歩いた際にカバープレート４の落下を防止することができる。
【００４３】
また、マグネットＭは面５Ｂに対して凹んだ位置に埋設されている。これによりマグネットＭがカバープレート４Ａに対して直接接触しなくても磁力によって吸着可能であり、スプリンクラーヘッドカバー４を本体２に着脱する際にカバープレート４Ａの表面とマグネットＭが擦れてカバープレート４Ａの表面に傷が付くことを防止できる。
【００４４】
面５Ｂとカバー８の間には皿状部５の外周に沿って円弧状に段部５Ｃが形成されており、該段部５Ｃにより面５Ｂとカバー８の間には隙間１０が形成される。隙間１０にはスプリンクラーヘッドカバー４のカバープレート４Ａが挿入される。段部５Ｃの内周側には隙間１０から差し込ませたカバープレート４Ａが収容される。
【００４５】
カバー８の内周縁にはスプリンクラーヘッドカバー４と係止する「係止部」として細長い溝状に形成された切り欠き１１が形成されている。切り欠き１１には、スプリンクラーヘッドカバー４を隙間１０から差し込ませることで、スプリンクラーヘッドカバー４の筒状のハウジング４Ｂの下端からカバープレート４Ａ側に突出して形成された「係止突起」としての脚４Ｃが入り込み係止可能となっている。切り欠き１１と脚４Ｃとは脚４Ｃの係入方向（スプリンクラーヘッドカバー４の差し込み方向）とスプリンクラーヘッドカバー４の周方向で、相互に遊び無く係止している。さらにリングを切り欠いた有端環形状をしているカバー８の各々の端部８Ａ（回転係止部）は、スプリンクラーヘッドカバー４をスプリンクラーヘッドＳに着脱する際に、スプリンクラーヘッドカバー４の脚４Ｃに対して係止可能となっている。
【００４６】
皿状部５のスプリンクラーヘッドカバー４が載置される側から反対方向に伸長して形成された筒部６には、作業者が手で握って着脱工具１の操作を可能な把持部７が接続される。把持部７は柱状ないし棒状をしており筒部６に固定設置される。把持部７における筒部６と反対側の端には、図５に示すスプリンクラーヘッドＳの保護キャップ除去工具７１が取付けられている。このように把持部７の一端側に本体２と保持部３を、他端側に保護キャップ除去工具７１を備えることで、保護キャップＨの取外し作業とスプリンクラーヘッドカバー４の取付け作業を一つの着脱工具１で行えるので便利である。
【００４７】
保護キャップ除去工具７１には、保護キャップＨに係止される円弧部７２と、把持部７に固定設置される固定部７３が形成されている。円弧部７２は保護キャップＨの下端に形成された鍔部Ｈ２と鍔部Ｈ２の上部にある筒部Ｈ１の間の隙間に挿入される。
【００４８】
第１実施形態の着脱工具１を用いてスプリンクラーヘッドＳに設置されるスプリンクラーヘッドカバー４は、スプリンクラーヘッドＳを覆い隠す金属製の円盤形状をしたカバープレート４Ａと、円筒形状をしておりスプリンクラーヘッドＳの外周部に着脱可能な構造を有する金属製のハウジング４Ｂから構成される。
【００４９】
ハウジング４Ｂの一端には鍔部４Ｄが形成され、該鍔部４Ｄにはその一部をカバープレート４Ａ側に屈曲させて脚４Ｃが形成されている。脚４Ｃの先端は鍔部４Ｄと平行に屈曲されており、そこにはカバープレート４Ａとの接合部位となる接合部４Ｅが形成されている。接合部４Ｅはカバープレート４Ａと低融点合金によって接合されている。該低融点合金の溶融温度はスプリンクラーヘッドＳの作動温度よりも低く、火災時には火災の熱によりカバープレート４Ａを接合している低融点合金がスプリンクラーヘッドＳの作動より早く溶融してカバープレート４Ａが先に落下し、続いてスプリンクラーヘッドＳが作動するようになっている。
【００５０】
スプリンクラーヘッドＳの外周面には螺旋溝Ｓ１が刻設されており、該牡ネジＳ１に螺合可能な複数の突起４Ｆがハウジング４Ｂの内周面に突出して形成されている。該突起４Ｆはハウジング４Ｂの筒部を曲げ起こして形成されており、突起４Ｆの先端はカバープレート４Ａ側に向いている。ハウジング４Ｂは弾性を有する金属材料にて形成されており突起４Ｆも弾性を有している。スプリンクラーヘッドカバー４をスプリンクラーヘッドＳに取付ける際には、ハウジング４Ｂの筒内にスプリンクラーヘッドＳを下方から挿入すると突起４Ｆが外周方向へ弾性変形しながら螺旋溝Ｓ１の上を交差して通過することができるので、ハウジング４Ｂの鍔部４Ｄが天井ボードＣの下面付近に達するまでスプリンクラーヘッドカバー４を押し込んでいくようにする。その後、スプリンクラーヘッドカバー４を螺旋溝Ｓ１に沿って回転させて鍔部４Ｄを天井ボードＣの下面に当たるまでねじ込む（回転させる）ようにすることでスプリンクラーヘッドＳに対して取付けることができる。
【００５１】
上記にはスプリンクラーヘッドカバー４をスプリンクラーヘッドＳに挿通させて押し込むことで取付ける例を説明したが、スプリンクラーヘッドＳの螺旋溝Ｓ１に沿ってスプリンクラーヘッドカバー４の突起４Ｆをねじ込んでも取付けが可能である。また、取外す場合には突起４Ｆが螺旋溝Ｓ１に引っかかるので下向きに引っ張るだけでは外すことができず、スプリンクラーヘッドカバー４を回転させながら突起４Ｆを螺旋溝Ｓ１に沿って移動させて取外す必要がある。
【００５２】
続いて、着脱工具１にスプリンクラーヘッドカバー４をセットしてスプリンクラーヘッドＳへ取付ける手順について説明する。
【００５３】
先ずスプリンクラーヘッドＳに装着されている保護キャップＨを取外す。保護キャップ除去工具７１の円弧部７２を保護キャップＨの下端に形成された鍔部Ｈ２と鍔部Ｈ２の上部にある筒部Ｈ１の間の隙間に挿入する。鍔部Ｈ２に円弧部７２を係止させた状態で保護キャップ除去工具７１を下方に引っ張るとスプリンクラーヘッドＳに挿入されていた保護キャップＨが外れる。
【００５４】
次に本体１の皿状部５とカバー８の隙間１０にスプリンクラーヘッドカバー４のカバープレート４Ａをスライドさせながら差し込ませる。カバープレート４Ａが皿状部５の直線部５Ａの外にはみ出さないように、スプリンクラーヘッドカバー４を取付けるようにする。その際、カバープレート４の一つの脚４Ｃがカバー８に形成された切り欠き１１に係止するようにスプリンクラーヘッドカバー４の向きに注意して挿入する。図４のようにセットされると、スプリンクラーヘッドカバー４の脚４Ｃの一つが切り欠き１１内に挿入される。その他の２本の脚４Ｃもカバー８の各端８Ａの近傍に位置する。
【００５５】
以上のように取付けるとスプリンクラーヘッドカバー４が皿状部５の略中央位置に適切に位置決めされる。具体的には、スプリンクラーヘッドカバー４と本体２（皿状部５）と把持部７の中心が略一致するような状態でスプリンクラーヘッドカバー４が保持されることになる。したがって、後述の取付け作業の際には、スプリンクラーヘッドカバー４が本体２に隠れて下から目視できなくても、手元の把持部７の延長線上の位置感覚で上方のスプリンクラーヘッドカバー４をスプリンクラーＳに合わせることができる。
【００５６】
次に把持部７を手で持ち、その延長線上の位置感覚を頼りにしてスプリンクラーヘッドカバー４を天井内に設置されたスプリンクラーヘッドＳに被せるようにする。スプリンクラーヘッドカバー４を天井方向に押し込むと、スプリンクラーヘッドカバー４Ｃ内の突起４ＦはスプリンクラーヘッドＳの外周部に刻設された螺旋溝Ｓ１上を通過可能であることから、スプリンクラーヘッドカバー４の鍔部４Ｄが天井ボードＣの下面付近に達するまで押し込んでいく。鍔部４Ｄを天井ボードＣの下面付近まで押し込んだら本体１を回転させる。その際、スプリンクラーヘッドカバー４の脚４Ｃが切り欠き１１に係止されているので、本体１を回転させることでスプリンクラーヘッドカバー４の突起４ＦをスプリンクラーヘッドＳの螺旋溝Ｓ１に沿って回転することができる。このとき、その他の２本の脚４Ｃもカバー８の端部８Ａに対して係止するので、切り欠き１１に対する脚４Ｃだけに集中して回転力が掛からず分散され、切り欠き１１と係止する脚４Ｃやこれとカバープレート４Ａとの接合部４Ｅにおける変形・破損を回避することができるとともにスムーズに回転させることができる。
【００５７】
スプリンクラーヘッドカバー４の鍔部４Ｄが天井ボードＣの下面に接するまで回転させたら着脱工具１をスプリンクラーヘッドカバー４から取外す。その際、本体２の一部を切り欠いて形成した直線部５Ａと対向する方向に向かって着脱工具１を天井下面と平行にスライド移動させる。これでスプリンクラーヘッドカバー４をスプリンクラーヘッドＳへ取り付ける作業が完了する。
【００５８】
続いて、スプリンクラーヘッドＳに取付けられているスプリンクラーヘッドカバー４を着脱工具１によって取外す手順を説明する。
【００５９】
先ず、着脱工具１を天井ボードＣの下面に沿ってスライド移動させて本体５とカバー８の間の隙間１０にスプリンクラーヘッドカバー４を挿入させる。その際、スプリンクラーヘッドカバー４の脚４Ｃに対して本体２の直線部５Ａを垂直に向けてスプリンクラーヘッドカバー４を本体２内に挿入すると、直線部５Ａと対向した位置に切り欠き１１が形成されているのでカバー８の切り欠き１１が見えなくても直線部５Ａの位置を目安に脚４Ｃを切り欠き１１に挿通することができる。
【００６０】
切り欠き１１に脚４Ｃが正しく挿入されないと、本体２の直線部５Ａからカバープレート４Ａがはみ出して見えるので、作業者は切り欠き１１に脚４Ｃが正しく挿入されているかどうかを目視で判断できる。
【００６１】
本体２の直線部５Ａからカバープレート４Ａがはみ出していないことを確認してから、スプリンクラーヘッドカバー４がスプリンクラーヘッドＳの螺旋溝Ｓ１から外れる方向に着脱工具１を回転させる。すると、スプリンクラーヘッドカバー４の一つの脚４Ｃが切り欠き１１と係合し、さらに別な一つの脚４Ｃがカバー８の端部８Ａに係止されるのでスプリンクラーヘッドカバー４は本体２と供回りすることで螺旋溝Ｓ１から取外すことができる。
【００６２】
着脱工具１を回転させてスプリンクラーヘッドカバー４の突起４ＦがスプリンクラーヘッドＳの螺旋溝Ｓ１より外れたら、スプリンクラーヘッドカバー４をスプリンクラーヘッドＳから取外す。最後に着脱工具１の隙間１０からスプリンクラーヘッド４をスライドさせて取外して作業が完了する。
【００６３】
第１実施形態の変形例１（図６）
上記の第１実施形態の変形例として、カバープレート４Ａが面５Ｂと非接触になる構成を図６に示す。図６では段部５Ｃの高さを前述の実施形態よりも高く形成して、面５Ｂとカバー８の間の隙間１０を広くしたものであり、スプリンクラーヘッドカバー４の鍔部４Ｄがカバー８上に係止され、カバープレート４Ａが面５Ｂから離れた状態で本体２上にセットされる。
【００６４】
これにより、カバープレート４Ａは面５と非接触状態となり、スプリンクラーヘッドカバー４を着脱工具１に着脱する際にカバープレート４Ａの表面に傷が付くことを防止できる。
【００６５】
第１実施形態の変形例２（図７、図８）
さらに第１実施形態の着脱工具１を、シーリングプレートの着脱に適用する場合について図７を参照して説明する。
【００６６】
図７（ａ）、（ｂ）に示すシーリングプレート１５は樹脂や金属等の弾性を有する材料から形成される。シーリングプレート１５は円筒形状をしておりスプリンクラーヘッド１６の外周部に着脱可能な構造を有している。シーリングプレート１５の一端には外周方向へ拡張した鍔部１５Ａが形成されている。
【００６７】
他端の内周面にはスプリンクラーヘッド１６の外周部に刻設された溝１６Ａと係合可能な複数の突起１５Ｂが層状に形成されている。突起１５Ｂの断面形状は鋸型になっており、角が鍔部１５Ａ側に偏った形状をしている。突起１５Ｂが形成されている側面には均等間隔でスリット１５Ｃが設けられている。スリット１５Ｃにて突起１５Ｂが形成された舌状体１５Ｄの先端側は、シーリングプレート１５を形成する材料の弾性によって外周方向へ弾性変形が可能となる。
【００６８】
このような形状としたことで、シーリングプレート１５をスプリンクラーヘッド１６に取付ける際に、シーリングプレート１５の突起１５Ｂをスプリンクラーヘッド１６の螺旋溝１６Ａに押し込むと突起１５Ｂは舌状体１５Ｄが弾性により外周方向へ弾性変形して螺旋溝１６Ａ上をスライドして通過可能となり突起１５Ｂが螺旋溝１６Ａに係合される。反対にスプリンクラーヘッド１６に設置されたシーリングプレート１５を下方に引っ張って引き抜こうとすると、突起１５Ｂの角が鍔部１５Ａ側に偏った形をしていることから螺旋溝１６Ａに食い込むように作用してシーリングプレート１５を引き抜くことを防止している。
【００６９】
鍔部１５Ａは一面が天井ボード１７との接触面１５Ｅとなり天井ボード１７に平行に形成されている。反対面１５Ｆは外周側の厚さが薄く、中心に向かうに従い厚さが増していくように形成されている。面１５Ｆには、カバー８の切り欠き１１と係合可能な突起１５Ｇが所定間隔で複数設置されている。突起１５Ｇはシーリングプレート１５がスプリンクラーヘッド１６に設置された際に、天井ボード１７のスプリンクラーヘッド１６が貫通する穴１７Ａ内に収容されるように構成することで天井ボード１７との干渉を防止している。
【００７０】
シーリングプレート１５を隙間１０内に挿入すると突起１５Ｇの一つは切り欠き１１に係合されるとともに、他の二つの突起１５Ｇもカバー８の端部８Ａに各々当接する。以上のように取付けるとシーリングプレート１５が皿状部５の略中央位置に適切に位置決めされる。
【００７１】
本実施形態に使用されるカバー８は、カバー８の上面にシーリングプレート１５の鍔部１５Ａを載置して使用することからシーリングプレート１５の材質よりも軟らかい天然ゴム、合成ゴム等のゴム状弾性体や軟質樹脂材で作ると鍔部１５Ａに傷が付くことを防止できる。あるいはカバー８の上面に前述の樹脂やゴムのシートを設置することでも代用可能である。また、カバー８上に載置したシーリングプレート１５を回転させて螺旋溝１６Ａに螺合させることからカバー８の表面に、滑り止め用の溝や凸凹を形成しておくことも可能である。
【００７２】
また、皿状部５にはシーリングプレート１５をスプリンクラーヘッド１６から取り外す際に、スプリンクラーヘッド１６が皿状部５内に収容可能な切り欠き５Ｅが形成されている。
【００７３】
続いて着脱工具１にシーリングプレート１５をセットしてスプリンクラーヘッド１６へ取付ける手順について説明する。
【００７４】
スプリンクラーヘッド１６には前述と同様に保護キャップＨ（図示しない）が装着されているので保護キャップ除去工具７１により保護キャップＨを外すところまでは同じである。次に、本体２の皿状部５とカバー８の隙間１０にシーリングプレート１５をスライドさせながら差し込ませる。
【００７５】
次に把持部７を手で持ち、シーリングプレート１５を天井ボード１７を貫通して設置されているスプリンクラーヘッド１６に挿通させる。シーリングプレート１５を天井ボード１７方向に押し込むと、シーリングプレート１５の内周面に形成された層状の突起１５Ｂがスプリンクラーヘッド１６の外周部に刻設された螺旋溝１６Ａに係合する。さらにシーリングプレート１５を天井ボード１７方向に押し込み、カバー８が天井ボード１７に近接するまで押し込む。
【００７６】
続いて着脱工具１を天井ボード１７と平行にスライド移動させ、シーリングプレート１５から着脱工具１を外す。この段階でシーリングプレート１５の鍔部１５Ａと天井ボード１７の下面には隙間が存在する。鍔部１５を天井ボード１７の下面付近まで押し込むために着脱工具１のカバー８の上面を鍔部１５Ａに押し当ててシーリングプレート１５を回転させ螺旋溝１６Ａにねじ込んで天井ボード１７の方向に移動させる。鍔部１５が天井ボード１７の下面まで到達したらシーリングプレート１５の取付けが完了となる（図７（ｂ）参照）。
【００７７】
続いてシーリングプレート１５をスプリンクラーヘッド１６から取り外す手順について説明する。
先ず、着脱工具１のカバー８の上面をシーリングプレート１５の鍔部に当接させる。シーリングプレート１５とカバー８を接触させた状態で、螺旋溝１６Ａと突起１５Ｂとの螺合が緩む方向に着脱工具１を回転させる。天井ボード１７と鍔部１５Ａの間にカバー８が差し込める程の隙間が生じるまで着脱工具１を回転させる。
【００７８】
次に、着脱工具１のカバー８を天井ボード１７と鍔部１５Ａの間の隙間に差し込む。その際、鍔部１５Ａ上に設けられた突起１５Ｇがカバー８の切り欠き１１と係合するように差し込む。具体的には、突起１５Ｇの位置に皿状部５の直線部５Ａを合わせて隙間１０に鍔部１５Ａを挿入させる。
【００７９】
本体２の直線部５Ａからシーリングプレート１５の外周縁がはみ出していないことを確認してから、シーリングプレート１５がスプリンクラーヘッド１６の螺旋溝１６Ａから外れる方向に着脱工具１を回転させる。すると、シーリングプレート１５の一つの突起１５Ｇが切り欠き１１と係合し、さらに別な一つの突起１５Ｇがカバー８の端部８Ａに係止されるのでシーリングプレート１５は本体２と供回りすることで螺旋溝１６Ａから取外すことができる。
【００８０】
第２実施形態（図９〜図１２）
次に第２実施形態について図９から図１２を参照して説明する。
【００８１】
第２実施形態において第１実施形態と構成が同じ箇所については同符号を付して詳細な説明は省略する。第２実施形態の着脱工具２１は、第１実施形態と同様に皿状部５と筒部６を備えた本体２２を有しており、皿状部５のスプリンクラーヘッドカバー４が載置される面５Ｂには大径穴２２Ａが穿設されており、大径穴２２Ａの底面には筒部６に連通する小径穴２２Ｂが穿設されている。
【００８２】
大径穴２２Ａにはマグネット２３が挿入されており、マグネット２３の高さ寸法は大径穴２２Ａの深さ寸法よりも小さい。マグネット２３は筒部６に接続された有底円筒形状の把持部７の内部に設けられた棒状部材２４とネジ２５により固定設置されている。
【００８３】
棒状部材２４のマグネット２３に固定された端と反対側の端と把持部７の底面との間には弾発体２６が設けられており棒状部材２４を本体２２側へ付勢している。棒状部材２４の側面から把持部７の側面を貫通して外部に突出した突起２４Ａが形成されており、突起２４Ａの先端にはスライドスイッチ２４Ｂが設けられている。
【００８４】
把持部７の側面には前述のとおり突起２４Ａが貫通する穴７Ａが形成されている。穴７Ａは図６において突起２４Ａが上下方向に移動可能な大きさを有している。したがってマグネット２３は突起２４Ａの移動可能範囲で上下方向で可動となっている。
なお、以上のマグネット２３をスプリンクラーヘッドカバー４に対して接離可動とする棒状部材２４、突起２４Ａ、スライドスイッチ２４Ｂ、弾発体２６は本発明の「操作部」を構成している。
【００８５】
本体２２の面５Ｂには、係止部である切り欠き１１が形成された「保持体」としてのカバー２７が設置されており、第１実施形態と同様に皿状部５とカバー２７の間には隙間１０が形成されている。
【００８６】
続いて第２実施形態の着脱工具２１にスプリンクラーヘッドカバー４をセットしてスプリンクラーヘッドＳへ取付ける手順について説明する。
【００８７】
先ずスプリンクラーヘッドＳに装着されている保護キャップＨを取外す。次に把持部７に設けられているスライドスイッチ２４Ｂを図中下方へ移動させる。するとマグネット２３が大径穴２２Ａの底面側に移動してマグネット２３の上面が本体２２の皿状部５の面５Ｂよりも引込んだ状態になる（図１１）。マグネット２３を引込めた状態で本体２２の皿状部５とカバー２７の隙間１０にスプリンクラーヘッドカバー４のカバープレート４Ａをスライドさせながら挿入する。さらにスプリンクラーヘッドカバー４の脚４Ｃをカバー２７に形成された切り欠き１１に挿入する。
【００８８】
スライドスイッチ２４Ｂを離すと弾発体２６の作用によりマグネット２３が本体２１の皿状部５の面５Ｂ側に移動する。スプリンクラーヘッドカバー４は金属製なのでマグネット２３の磁力によりスプリンクラーヘッドカバー４とマグネット２３が吸着され、本体２１上にスプリンクラーヘッドカバー４が保持された状態となる。
【００８９】
続いてスプリンクラーヘッドカバー４がセットされた着脱工具２１を天井内に設置されたスプリンクラーヘッドＳに挿通させる。スプリンクラーヘッドＳにスプリンクラーヘッドカバー４を押し込む手順は第１実施形態と同じである。スプリンクラーヘッドカバー４の鍔部４Ｄが天井ボードの下面に達したらスライドスイッチ２４Ｂを図中下方へ移動させる。するとマグネット２３がカバープレート４Ａから離れ、カバープレート４の保持状態が解除される。最後に着脱工具２１をスプリンクラーヘッドカバー４から取外す。着脱工具２１を取外す手順は実施形態１と同じである。
【００９０】
続いて、スプリンクラーヘッドＳに取付けられているスプリンクラーヘッドカバー４を着脱工具２１によって取外す手順を説明する。
【００９１】
先ず、把持部７に設けられているスライドスイッチ２４Ｂを図中下方へ移動させ、マグネット２３を本体２２内に引込めた状態にする。次に着脱工具２１を天井ボードＣの下面に沿ってスライド移動させてカバー２７の切り欠き１１内にスプリンクラーヘッドカバー４の脚４Ｃを挿入させる。その際、スプリンクラーヘッドカバー４の脚４Ｃに対して本体２２の直線部５Ａを垂直に向けて着脱工具２１をスプリンクラーヘッドカバー４側へスライド移動させると、直線部５Ａと対向した位置に形成された切り欠き１１が形成されているのでカバー２７の切り欠き１１が見えなくても直線部５Ａの位置を目安に脚４Ｃを切り欠き１１に挿通することができる。
【００９２】
本体２の直線部５Ａからカバープレート４Ａがはみ出していないことを確認してから、スライドスイッチ２４Ｂを離す。するとマグネット２３がスプリンクラーヘッドカバー４側に移動して磁力によりスプリンクラーヘッドカバー４が吸着される。次にスプリンクラーヘッドカバー４がスプリンクラーヘッドＳの螺旋溝Ｓ１から外れる方向に着脱工具１を回転させる。スプリンクラーヘッドカバー４の一つの脚４Ｃが切り欠き１１と係合しているのでスプリンクラーヘッドカバー４は本体２２と供回りして螺旋溝Ｓ１から取外すことができる。着脱工具１を回転させてスプリンクラーヘッドカバー４の突起４ＦがスプリンクラーヘッドＳの螺旋溝Ｓ１より外れたら、スプリンクラーヘッドカバー４をスプリンクラーヘッドＳから取外す作業が完了する。
【００９３】
着脱工具２１からカバープレート４を取外す際には、スライドスイッチ２４Ｂを図中下方へ移動させてマグネット２３を本体２２内へ引込めた状態にしてから取外す。
【００９４】
第２実施形態の変形例１（図１２）
第２実施形態では、係止部が切り欠き１１として説明したが、切り欠き１１を図１２に示すように凸部１１Ａにしても構成可能である。凸部１１Ａはスプリンクラーヘッドカバー４の鍔部４Ｄに形成された切り欠き４Ｇと係合可能である。
【００９５】
第２実施形態の変形例２（図１３）
さらに異なる変形例として、マグネット２３がカバープレート４Ａと非接触になる構成を図１３に示す。図１３では面５Ｂ上にリング状のストッパー２３Ａを設置しており、該ストッパー２３Ａの内径はマグネット２３の外径よりも小さい。ストッパー２３Ａを設置したことでマグネット２３をカバープレート４Ａ側に移動させた際には、マグネット２３とカバープレート４Ａの間にストッパー２３Ａが介在することでカバープレート４Ａとマグネット２３が非接触状態で磁力によって吸引保持することが可能となる。
【００９６】
このようなストッパー２３Ａは硬質樹脂材で作ることができる。より好ましくはカバープレート４Ａの材質よりも軟らかい天然ゴム、合成ゴム等のゴム状弾性体や軟質樹脂材で作ることができる。こうすることでスプリンクラーヘッドカバー４を着脱工具１に着脱する際やカバープレート４Ａをマグネット２３により吸引する際にカバープレート４Ａの表面に傷が付くことを防止できる。また、ストッパー２３Ａを形成するゴム状弾性体や軟質樹脂材がさらに磁性を有するものとすることもできる。この場合には、マグネット２３による保持を補助するものとして使用することができる。あるいはマグネット２３に替えてスプリンクラーヘッドカバー４を保持できればマグネット２３自体を省略することも可能であり、例えば第１実施形態の面５Ｂにそのようなストッパー２３Ａを貼り付ける構成とすることもできる。
【００９７】
第３実施形態（図１４〜図１６）
次に第３実施形態について図１４から図１６を参照して説明する。
【００９８】
第３実施形態において実施形態１や実施形態２と構成が同じ箇所については同符号を付して詳細な説明は省略する。第３実施形態の着脱工具３１は、実施形態１と同様に皿状部５と筒部６を備えた本体３２を有しており、皿状部５のスプリンクラーヘッドカバー４が載置される面５Ｂには段部３２Ａが形成されており、段３２Ａによって皿状部５には上面３２Ｂと下面３２Ｃが設けられている。
【００９９】
上面３２Ｂはスプリンクラーヘッドカバー４のカバープレート４Ａが載置される面である。下面３２Ｃには「保持体」である可動カバー３３が設けられている。
【０１００】
可動カバー３３は断面が「コ」字型であり上部３３Ａと下部３３Ｂから構成される。上部３３Ａは第２実施形態のカバー２７と略同じ形状である。切り欠き１１の近傍には細長い溝状のスリット３３Ｃが形成されている。スリット３３は切り欠き１１の溝と同じ方向に形成されている。スリット３３Ｃには本体３２の下面３２Ｃから突出して形成されたピンＰが挿通されている。ピンＰの先端はピンＰの外径より大径に形成されており、可動カバー３３が外れるのを防止している。
【０１０１】
下部３３Ｂは本体３２の下面３２Ｃ上をスライド移動可能であり、端部３３Ｄの先端は曲面形状となっている。端部３３Ｄが接触している棒状部材２４の接触部２４Ｃは斜面となっており、棒状部材２４を図中上方に移動させると接触部２４が端部３３Ｄを押して図中右方向へスライド移動させる構造となっている。その際、前述のスリット３３ＣとピンＰがガイドの役割をしている。
【０１０２】
可動カバー３３には、スライドスイッチ２４Ｂを離した後に可動カバー３３が元の位置に戻るように作用する弾発体３４が設置されている。図１５に示す弾発体３４は板バネであり、無荷重時において断面が「く」字型であり、一端は本体３２の段部３２Ａに固定され、他端は可動カバー３３に固定される。可動カバー３３がスライドスイッチ２４Ｂにより本体３２の外方へスライドした状態では屈曲部３４Ａの角度が開いて元の角度に戻ろうとする力が作用する。スライドスイッチ２４Ｂを離すと弾発体３４は元の形状に戻り可動カバー３３が元の位置に戻る。
なお、可動カバー３３をスライド移動（側方移動）させる棒状部材２４、スライドスイッチ２４Ｂ、弾発体３４は本発明の「保持体操作部」を構成する。
【０１０３】
また、可動カバー３３には突起３３Ｅが形成されており、突起３３Ｅは本体３２の皿状部５から突出して形成されている。突起３３Ｅと切り欠き１１、本体３２の中心は同一線上に形成されており、突起３３Ｅは着脱工具１を把持部７側から見た場合に切り欠き１１の位置を確認することができる。
【０１０４】
続いて、第３実施形態の着脱工具３１にスプリンクラーヘッドカバー４をセットしてスプリンクラーヘッドＳへ取付ける手順について説明する。
【０１０５】
スプリンクラーヘッドカバー４を着脱工具３１に取付ける手順およびは第１実施形態の手順と略同じであるので省略する。次に着脱工具１にセットされたスプリンクラーヘッドカバー４をスプリンクラーヘッドＳに取付ける手順について説明する。
【０１０６】
先ず把持部７を手で持ち、スプリンクラーヘッドカバー４を天井内に設置されたスプリンクラーヘッドＳに挿通させる。スプリンクラーヘッドカバー４を天井方向に押し込むと、スプリンクラーヘッドカバー４Ｃ内の突起４ＦはスプリンクラーヘッドＳの外周部に刻設された螺旋溝Ｓ１上を通過可能であることから、スプリンクラーヘッドカバー４の鍔部４Ｄが天井ボードＣの下面付近まで押し込み、続いてスプリンクラーヘッドカバー４を回転させて鍔部４Ｄが天井ボードＣに接するまで回転させる。
【０１０７】
最後に着脱工具３１をスプリンクラーヘッドカバー４から取外すが、その際、把持部７に設けられたスライドスイッチ２４Ｂを図中上方へ移動させる。すると把持部７内部の棒状部材２４が上方へ移動して、接触部２４Ｃの斜面が可動カバー３３の端部３３Ｄを図中右方向へ押圧して可動カバー３３が図中右方向へ移動する。可動カバー３３が図中右方向へ移動した状態で着脱工具１を下方へ移動させて天井面から離すと、可動カバー３３がスプリンクラーヘッドカバー４に引っ掛かることなく着脱工具１から外すことができる。
【０１０８】
次にスプリンクラーヘッドＳに取付けられているスプリンクラーヘッドカバー４を第３実施形態の着脱工具２１によって取外す手順を説明する。
【０１０９】
先ず、着脱工具１を天井ボードＣの下面に沿ってスライド移動させて本体３２と可動カバー３３の間の隙間１０にスプリンクラーヘッドカバー４を挿入させる。その際、スプリンクラーヘッドカバー４の脚４Ｃに対して可動カバー３３の突起３３Ｅの位置を合わせてスプリンクラーヘッドカバー４を本体２内に挿入すると、可動カバー３３に設けられた切り欠き１１が見えなくても突起３３Ｅの位置を目安に脚４Ｃを切り欠き１１に挿通することができる。切り欠き１１に脚４Ｃが正しく挿入されないと、本体３２の直線部５Ａからカバープレート４Ａがはみ出して見えるので、作業者は切り欠き１１に脚４Ｃが正しく挿入されているかどうかを目視で判断できる。
【０１１０】
本体２の直線部５Ａからカバープレート４Ａがはみ出していないことを確認してから、スプリンクラーヘッドカバー４がスプリンクラーヘッドＳの螺旋溝Ｓ１から外れる方向に着脱工具１を回転させる。すると、スプリンクラーヘッドカバー４の一つの脚４Ｃが切り欠き１１と係合するのでスプリンクラーヘッドカバー４は本体２と供回りすることなく螺旋溝２１から取外すことができる。着脱工具１を回転させてスプリンクラーヘッドカバー４の突起４ＦがスプリンクラーヘッドＳの螺旋溝Ｓ１より外れたら、スプリンクラーヘッドカバー４をスプリンクラーヘッドＳから取外す作業が完了する。
【０１１１】
着脱工具３１からカバープレート４を取外す際には、スライドスイッチ２４Ｂを図中上方へ移動させて可動カバー３３をスライド移動させてカバープレート４を着脱工具３１から取外す。
【０１１２】
第４実施形態（図１７）
次に第４実施形態について図１７を参照して説明する。
【０１１３】
第４実施形態において実施形態１や実施形態２と構成が同じ箇所については同符号を付して詳細な説明は省略する。第４実施形態の工具４１は、スプリンクラーヘッド付属品をスプリンクラーヘッドに装着するための工具である。
【０１１４】
第４実施形態の工具４１は実施形態１と同様に皿状部５と筒部６を備えた本体４２を有しており、皿状部５の５Ｂ面にはスプリンクラーヘッドカバー４のカバープレート４Ａが載置される。面５Ｂには滑り止めの作用を有する図示しないラバープレートや、該ラバープレートの表面に凸凹を形成しておくとカバープレート４Ａの位置ズレを防止でき、さらにカバープレート４Ａの表面に傷が付くことを防止できる。
【０１１５】
面５Ｂ上には、複数の係止片４３が形成されており、係止片４３は弾性を有する材料から形成されている。係止片４３は円弧状に湾曲して形成されており一端は本体４２上に固定設置され、他端側は本体４２の外周側に向けられている。係止片４３はカバープレート４Aの外周縁近傍に複数設置されており、係止片４３の屈曲部４３Ａによりカバープレート４Ａの移動を阻止して本体４２上に保持する「保持体」の作用とスプリンクラーヘッドカバー４を本体４２上の所定位置に位置決め可能な「係止部」の作用を有している。
【０１１６】
係止片４３の円弧部４３Ａの上部は、本体４２にスプリンクラーヘッドカバー４がセットされた状態において鍔部４Ｄより上方へ突出している。スプリンクラーヘッドカバー４をスプリンクラーヘッドＳに取付ける場合に、円弧部４３Ａの上部が鍔部４Ｄより先に天井ボードＣの下面に接触するが、係止片４３は弾性により本体４２の外周側へ変形するのでスプリンクラーヘッドカバー４をさらに天井ボードＣ側に移動させることができる。
【０１１７】
続いて、第４実施形態の工具４１にスプリンクラーヘッドカバー４をセットしてスプリンクラーヘッドＳへ取付ける手順について説明する。
【０１１８】
先ず、スプリンクラーヘッドカバー４を工具４１に装着する。その際、係止片４３の上方から本体４２側へ向かってカバープレート４Ａを嵌め込むと、係止片４３は図１７（ａ）の破線で示すように弾性により変形して屈曲部４３Ａが本体４２の外周側へ変形する。カバープレート４Ａが本体４２上に載置されると係止片４３は元の形状に戻る。
【０１１９】
次にスプリンクラーヘッドＳに装着されている保護キャップＨを取外した後に、把持部７を手で持ちスプリンクラーヘッドカバー４を天井内に設置されたスプリンクラーヘッドＳに挿通させる。スプリンクラーヘッドカバー４を天井方向に押し込むと、スプリンクラーヘッドカバー４Ｃ内の突起４ＦはスプリンクラーヘッドＳの外周部に刻設された螺旋溝Ｓ１上を通過可能であることから、スプリンクラーヘッドカバー４の鍔部４Ｄを天井ボードＣの下面付近まで押し込むことができる。
【０１２０】
スプリンクラーヘッドカバー４の鍔部４Ｄを天井ボードＣの下面付近まで押し込むと、係止片４３は天井ボードＣと接触し、自らの弾性によって本体４２の外周側に向かって変形する（図１７（ｂ）参照）。係止片４３が変形したことで係止片４３の端が本体４２からはみ出して見える。この時点でスプリンクラーヘッドカバー４のスプリンクラーヘッドＳへ押し込むことを止めると、鍔部４Ｄが天井ボードＣに接触する前の状態となる。
【０１２１】
続いて工具４１を回転させ、スプリンクラーヘッドカバー４の突起４Ｆを螺旋溝１６Ａに沿って移動させる。工具４１を回転させることで鍔部４Ｄは天井ボードＣの方向に移動する。その際、前述のラバープレートによってカバープレート４Aが皿状部５の５Ｂ面上で滑って空回りすることを防止できる。鍔部４Ｄが天井ボードＣに到達するまで工具４１を回転させたら下方へ移動させる。
【０１２２】
すると係止片４３は自らの弾性により本体４２の外周側に変形してカバープレート４Ａの縁をすり抜けて係合が解除される。カバープレート４Ａは工具４１を下方に移動する際に下方に引っ張られるが、突起４Ｆが螺旋溝Ｓ１に係合しているのでスプリンクラーヘッドカバー４がスプリンクラーヘッドＳから外れることはない。以上によりスプリンクラーヘッドＳへスプリンクラーヘッドカバー４を取付ける作業が完了する。
【符号の説明】
【０１２３】
１、２１、３１  スプリンクラーヘッド付属品の着脱工具
２、２２、３２  本体
３  保持体
４  スプリンクラーヘッドカバー（スプリンクラーヘッド付属品）
４Ａ  カバープレート（化粧部材）
４Ｂ  ハウジング（筒状部）
４Ｃ  脚（係止突起、連結脚）
５  皿状部
５Ａ  直線部（保持位置視認部）
５Ｂ  面（支持面）
５Ｃ  段部
５Ｄ  穴
５Ｅ  切り欠き
６  筒部
７  把持部（作業用把持部）
８、２７  カバー（保持体）
８Ａ  端部（回転係止部）
９、２５  ネジ
１０  隙間
１１  切り欠き（係止部）
１５  シーリングプレート（スプリンクラーヘッド付属品）
１６  スプリンクラーヘッド
２４  棒状部材
２４Ｂ  スライドスイッチ
２６、３４  弾発体
３３  可動カバー（保持体）
Ｓ  スプリンクラーヘッド
Ｍ  マグネット（磁石）
【図１】
2011120699.tif 000003
【図２】
2011120699.tif 000004
【図３】
2011120699.tif 000005
【図４】
2011120699.tif 000006
【図５】
2011120699.tif 000007
【図６】
2011120699.tif 000008
【図７】
2011120699.tif 000009
【図８】
2011120699.tif 000010
【図９】
2011120699.tif 000011
【図１０】
2011120699.tif 000012
【図１１】
2011120699.tif 000013
【図１２】
2011120699.tif 000014
【図１３】
2011120699.tif 000015
【図１４】
2011120699.tif 000016
【図１５】
2011120699.tif 000017
【図１６】
2011120699.tif 000018
【図１７】
2011120699.tif 000019
【図１８】
2011120699.tif 000020